(57)【要約】【課題】移動局が受信するデータ信号の再送信号を多くすることなく、移動局の電力消費を軽減することを可能とする。【解決手段】基地局１０が、所定周期Ａでデータ信号ａ及び再送信号ａ１乃至ａ３を移動局３０に送信する信号送信部１１を具備する。移動局３０は、所定周期Ａ内のデータ信号ａ又は再送信号ａ１乃至ａ３についての受信処理を行う受信処理部３１と、データ信号ａ又は再送信号ａ１乃至ａ３の通信品質を検出する通信品質検出部３２と、通信品質検出結果に応じて所定周期Ａ内のデータ信号ａ又は再送信号ａ１乃至ａ３の受信処理方法について決定する受信処理方法決定部３３とを具備する。【選択図】　　　図１
2004129078.tif 000002
【特許請求の範囲】
【請求項１】
基地局から移動局にデータ信号を送信する移動通信システムであって、
前記基地局は、所定周期で、前記データ信号及び該データ信号の再送信号を、前記移動局に送信する信号送信部を具備し、
前記移動局は、
前記所定周期内の前記データ信号又は前記再送信号についての受信処理を行う受信処理部と、
前記データ信号又は前記再送信号の通信品質を検出する通信品質検出部と、
前記通信品質検出結果に応じて、前記所定周期内の前記データ信号又は前記再送信号の受信処理方法について決定する受信処理方法決定部とを具備することを特徴とする移動通信システム。
【請求項２】
前記受信処理方法決定部は、前記通信品質検出結果に応じて、前記所定周期内の前記データ信号又は前記再送信号を受信するか否かについて決定することを特徴とする請求項１に記載の移動通信システム。
【請求項３】
前記受信処理方法決定部は、前記通信品質検出結果に応じて、前記所定周期内の前記データ信号又は前記再送信号を復号するか否かについて決定することを特徴とする請求項１に記載の移動通信システム。
【請求項４】
前記信号送信部は、前記所定周期において、前記データ信号の再送信号を、該データ信号と異なる形態で送信することを特徴とする請求項１乃至３のいずれか一項に記載の移動通信システム。
【請求項５】
前記信号送信部は、前記所定周期において、前記データ信号の再送信号の各々を異なる形態で送信することを特徴とする請求項１乃至４のいずれか一項に記載の移動通信システム。
【請求項６】
前記通信品質検出部は、前記通信品質として、信号対干渉量比又は受信電力の少なくとも一つを検出することを特徴とする請求項１乃至５のいずれか一項に記載の移動通信システム。
【請求項７】
基地局から移動局にデータ信号を送信する移動通信方法であって、
前記基地局において、所定周期で、前記データ信号及び該データ信号の再送信号を、前記移動局に送信する工程Ａと、
前記移動局において、前記所定周期内の前記データ信号又は前記再送信号についての受信処理を行う工程Ｂと、
前記移動局において、前記データ信号又は前記再送信号の通信品質を検出する工程Ｃと、
前記移動局において、前記通信品質検出結果に応じて、前記所定周期内の前記データ信号又は前記再送信号の受信処理方法について決定する工程Ｄとを有することを特徴とする移動通信方法。
【請求項８】
前記工程Ｄにおいて、前記移動局は、前記通信品質検出結果に応じて、前記データ信号及び前記再送信号を受信するか否かについて決定することを特徴とする請求項７に記載の移動通信方法。
【請求項９】
前記工程Ｄにおいて、前記移動局は、前記通信品質検出結果に応じて、前記データ信号及び前記再送信号を復号するか否かについて決定することを特徴とする請求項７に記載の移動通信方法。
【請求項１０】
前記工程Ａにおいて、前記基地局は、前記所定周期において、前記データ信号の再送信号を、該データ信号と異なる形態で送信することを特徴とする請求項７乃至９のいずれか一項に記載の移動通信方法。
【請求項１１】
前記工程Ａにおいて、前記基地局は、前記所定周期において、前記データ信号の再送信号の各々を異なる形態で送信することを特徴とする請求項７乃至１０のいずれか一項に記載の移動通信方法。
【請求項１２】
前記工程Ｃにおいて、前記移動局は、前記通信品質として、信号対干渉量比又は受信電力の少なくとも一つを検出することを特徴とする請求項７乃至１１のいずれか一項に記載の移動通信方法。
【請求項１３】
基地局からのデータ信号を受信する移動局であって、
所定周期内の前記データ信号又は該データ信号の再送信号についての受信処理を行う受信処理部と、
前記データ信号又は前記再送信号の通信品質を検出する通信品質検出部と、
前記通信品質検出結果に応じて、前記所定周期内の前記データ信号又は前記再送信号の受信処理方法について決定する受信処理方法決定部とを具備することを特徴とする移動局。
【請求項１４】
前記受信処理方法決定部は、前記通信品質検出結果に応じて、前記所定周期内の前記データ信号又は前記再送信号を受信するか否かについて決定することを特徴とする請求項１３に記載の移動局。
【請求項１５】
前記受信処理方法決定部は、前記通信品質検出結果に応じて、前記所定周期内の前記データ信号又は前記再送信号を復号するか否かについて決定することを特徴とする請求項１３に記載の移動局。
【請求項１６】
前記通信品質検出部は、前記通信品質として、信号対干渉量比又は受信電力の少なくとも一つを検出することを特徴とする請求項１３乃至１５のいずれか一項に記載の移動局。
【発明の詳細な説明】
【０００１】
【発明の属する技術分野】
本発明は、基地局から移動局にデータ信号を送信する移動通信システム、移動通信方法、及びこれらに用いて好適な移動局に関する。
【０００２】
【従来の技術】
従来、図１に示すように、一つ若しくは複数の基地局１０１乃至１０７が、エリア内の不特定多数の移動局３０１乃至３０１２に対して、共通な情報（データ信号）を一斉に送信するブロードキャスト（Ｂｒｏａｄｃａｓｔ）が知られている（例えば、非特許文献１参照）。
【０００３】
また、図２に示すように、一つ若しくは複数の基地局１０１乃至１０７が、エリア内の特定グループに属している複数の移動局３０に対して、共通な情報（データ信号）を一斉に送信するマルチキャスト（Ｍｕｌｔｉｃａｓｔ）が知られている（例えば、非特許文献２参照）。
【０００４】
【非特許文献１】３ｒｄ　Ｇｅｎｅｒｒａｔｉｏｎ　Ｐａｒｔｎｅｒｓｈｉｐ　ＰｒｏｊｅｃｔＴｅｃｈｎｉｃａｌ　Ｓｐｅｃｉｆｉｃａｔｉｏｎ　Ｇｒｏｕｐ　Ｔｅｒｍｉｎａｌｓ著、２３．０４１　Ｔｅｃｈｎｉｃａｌ　ｒｅａｌｉｚａｔｉｏｎ　ｏｆ　Ｃｅｌｌ　Ｂｒｏａｄｃａｓｔ　Ｓｅｒｖｉｃｅ（ＣＢＳ）、２０００年１０月
【０００５】
【非特許文献２】３ｒｄ　Ｇｅｎｅｒｒａｔｉｏｎ　Ｐａｒｔｎｅｒｓｈｉｐ　ＰｒｏｊｅｃｔＴｅｃｈｎｉｃａｌ　Ｓｐｅｃｉｆｉｃａｔｉｏｎ　Ｇｒｏｕｐ　ＲａｄｉｏＡｃｃｅｓｓ　Ｎｅｔｗｏｒｋ著、２５．３２４　Ｂｒｏａｄｃａｓｔ／Ｍｕｌｔｉｃａｓｔ　Ｃｏｎｔｒｏｌ　ＢＭＣ、２０００年１２月
【０００６】
【発明が解決しようとする課題】
しかしながら、従来のブロードキャストやマルチキャストのような複数の移動局３０１乃至３０１２に対して共通の情報（データ信号）を送信する移動通信システムでは、各基地局１０１乃至１０７と各移動局３０１乃至３０１２との間の伝搬距離や伝搬環境等により、各移動局３０１乃至３０１２により受信される信号の通信品質が異なるため、移動局３０１乃至３０１２ごとに共通の情報の再送を要求されると、各基地局１０１乃至１０７による当該共通の情報の送信（再送）回数が多くなるという問題点があった。
【０００７】
また、従来の移動通信システムにおいて、共通の情報の再送回数を減らすために誤り訂正用の冗長信号を用いた場合、受信信号の通信品質が良好な移動局においても、誤り訂正用の冗長信号を含む長い信号の受信処理する必要があるため、当該移動局の電力消費が大きくなるという問題点があった。
【０００８】
そこで、本発明は、以上の点に鑑みてなされたもので、移動局が受信するデータ信号の再送信号を多くすることなく、移動局の電力消費を軽減することを可能とする移動通信システム、移動通信方法、及びこれらに用いて好適な移動局を提供することを目的とする。
【０００９】
【課題を解決するための手段】
本発明の第１の特徴は、基地局から移動局にデータ信号を送信する移動通信システムであって、前記基地局が、所定周期で、前記データ信号及び該データ信号の再送信号を、前記移動局に送信する信号送信部を具備し、前記移動局が、前記所定周期内の前記データ信号又は前記再送信号についての受信処理を行う受信処理部と、前記データ信号又は前記再送信号の通信品質を検出する通信品質検出部と、前記通信品質検出結果に応じて、前記所定周期内の前記データ信号又は前記再送信号の受信処理方法について決定する受信処理方法決定部とを具備することを要旨とする。
【００１０】
本発明の第１の特徴において、前記受信処理方法決定部が、前記通信品質検出結果に応じて、前記所定周期内の前記データ信号又は前記再送信号を受信するか否かについて決定することが好ましい。
【００１１】
また、本発明の第１の特徴において、前記受信処理方法決定部が、前記通信品質検出結果に応じて、前記所定周期内の前記データ信号又は前記再送信号を復号するか否かについて決定することが好ましい。
【００１２】
また、本発明の第１の特徴において、前記信号送信部が、前記所定周期において、前記データ信号の再送信号を、該データ信号と異なる形態で送信することが好ましい。
【００１３】
また、本発明の第１の特徴において、前記信号送信部が、前記所定周期において、前記データ信号の再送信号の各々を異なる形態で送信することが好ましい。また、本発明の第１の特徴において、前記通信品質検出部が、前記通信品質として、信号対干渉量比又は受信電力の少なくとも一つを検出することが好ましい。
【００１４】
本発明の第２の特徴は、基地局から移動局にデータ信号を送信する移動通信方法であって、前記基地局において、所定周期で、前記データ信号及び該データ信号の再送信号を、前記移動局に送信する工程Ａと、前記移動局において、前記所定周期内の前記データ信号又は前記再送信号についての受信処理を行う工程Ｂと、前記移動局において、前記データ信号又は前記再送信号の通信品質を検出する工程Ｃと、前記移動局において、前記通信品質検出結果に応じて、前記所定周期内の前記データ信号又は前記再送信号の受信処理方法について決定する工程Ｄとを有することを要旨とする。
【００１５】
本発明の第２の特徴において、前記工程Ｄで、前記移動局が、前記通信品質検出結果に応じて、前記データ信号及び前記再送信号を受信するか否かについて決定することが好ましい。
【００１６】
また、本発明の第２の特徴において、前記工程Ｄで、前記移動局が、前記通信品質検出結果に応じて、前記データ信号及び前記再送信号を復号するか否かについて決定することが好ましい。
【００１７】
また、本発明の第２の特徴において、前記工程Ａで、前記基地局が、前記所定周期において、前記データ信号の再送信号を、該データ信号と異なる形態で送信することが好ましい。
【００１８】
また、本発明の第２の特徴において、前記工程Ａで、前記基地局が、前記所定周期において、前記データ信号の再送信号の各々を異なる形態で送信することが好ましい。
また、本発明の第２の特徴において、前記工程Ｃで、前記移動局が、前記通信品質として、信号対干渉量比又は受信電力の少なくとも一つを検出することが好ましい。
【００１９】
本発明の第３の特徴は、基地局からのデータ信号を受信する移動局であって、所定周期内の前記データ信号又は該データ信号の再送信号についての受信処理を行う受信処理部と、前記データ信号又は前記再送信号の通信品質を検出する通信品質検出部と、前記通信品質検出結果に応じて、前記所定周期内の前記データ信号又は前記再送信号の受信処理方法について決定する受信処理方法決定部とを具備することを要旨とする。
【００２０】
本発明の第３の特徴において、前記受信処理方法決定部が、前記通信品質検出結果に応じて、前記所定周期内の前記データ信号又は前記再送信号を受信するか否かについて決定することが好ましい。
【００２１】
また、本発明の第３の特徴において、前記受信処理方法決定部が、前記通信品質検出結果に応じて、前記所定周期内の前記データ信号又は前記再送信号を復号するか否かについて決定することが好ましい。
【００２２】
また、本発明の第３の特徴において、前記通信品質検出部が、前記通信品質として、信号対干渉量比又は受信電力の少なくとも一つを検出することが好ましい。
【００２３】
【発明の実施の形態】
（本発明の実施形態に係る移動通信システムの構成）
本発明の実施形態に係る移動通信システムの構成について、図１及び図２を参照しながら説明する。本実施形態に係る移動通信システム１は、基地局（送信装置）１０から移動局（受信装置）３０にデータ信号を送信するものである。
【００２４】
基地局１０は、図１に示すように、信号送信部１１を具備する。信号送信部１１は、所定周期で、データ信号及び当該データ信号の再送信号を、移動局３０に送信するものである。ここで、データ信号及び再送信号は、無線制御装置（図示せず）で作成されてもよいし、基地局１０で作成されてもよい。
【００２５】
例えば、信号送信部１１は、図２に示すように、所定周期Ａで、データ信号ａと、データ信号ａの再送信号ａ１と、データ信号ａの再送信号ａ２と、データ信号ａの再送信号ａ３とを、この順番で移動局３０に送信する。
【００２６】
ここで、データ信号ａの再送信号ａ１乃至ａ３は、データ信号ａを複製することによって生成されたものである。
【００２７】
また、信号送信部１１は、所定周期Ａにおいて、データ信号の再送信号ａ１乃至ａ３を、データ信号ａと異なる形態で送信してもよい。
【００２８】
例えば、信号送信部１１は、データ信号の再送信号ａ１乃至ａ３とデータ信号ａとの間で、Ｒａｔｅ　Ｍａｔｃｈｉｎｇ用のパラメータを変更して、データ信号の再送信号ａ１乃至ａ３とデータ信号ａとを異なる符号化系列として送信することができる。
【００２９】
移動局３０は、図１に示すように、受信処理部３１と、通信品質検出部３２と、受信処理方法決定部３３とを具備する。
【００３０】
受信処理部３１は、受信処理方法決定部３３により決定された受信処理方法に基づいて、所定周期内のデータ信号又は再送信号についての受信処理を行うものである。
【００３１】
ここで、受信処理部３１は、具体的には、受信機と復号機とを具備する。受信機は、基地局１０から送信されたデータ信号又は再送信号を受信するものであり、復号機は、受信したデータ信号又は再送信号について復号化するものである。
【００３２】
具体的には、受信処理部３１の受信機は、所定期間Ａにおいて、受信処理方法決定部３３により決定された受信処理方法に基づいて、データ信号ａ、再送信号ａ１、再送信号ａ２、再送信号ａ３のそれぞれを受信するか否かを判断する。
【００３３】
また、受信処理部３１の復号機は、所定期間Ａにおいて、受信処理方法決定部３３により決定された受信処理方法に基づいて、データ信号ａ、再送信号ａ１、再送信号ａ２、再送信号ａ３のそれぞれを復号するか否かを判断する。
【００３４】
また、受信処理部３１は、所定周期Ａにおいてデータ信号の再送信号ａ１乃至ａ３がデータ信号ａと異なる形態で送信されている場合、例えば、データ信号の再送信号ａ１乃至ａ３とデータ信号ａとの間で、異なるパラメータを用いて、Ｒａｔｅ　Ｍａｔｃｈｉｎｇを行うことによって、データ信号の再送信号ａ１乃至ａ３とデータ信号ａとを符号合成する。
【００３５】
通信品質検出部３２は、データ信号又は再送信号の通信品質を検出するものである。例えば、通信品質検出部３２は、通信品質として、信号誤り、信号対干渉量比（ＳＩＲ）又は受信電力の少なくとも一つを検出する。
【００３６】
受信処理方法決定部３３は、通信品質検出部３２により検出された通信品質検出結果に応じて、所定周期内のデータ信号又は再送信号の受信処理方法について決定するものである。
【００３７】
具体的には、受信処理方法決定部３３は、データ信号ａの通信品質結果が所望の通信品質を満足している場合、受信処理部３１による受信処理方法を変更すると決定する。一方、受信処理方法決定部３３は、データ信号ａ（又は、再送信号ａ１等）の通信品質結果が所望の通信品質を満足していない場合、次の再送信号ａ１（又は、再送信号ａ２等）を受信する。
【００３８】
また、受信処理方法決定部３３は、現在の信号の通信品質に基づいて受信処理方法を決定してもよいし、現在の信号の通信品質と過去の信号の通信品質との組み合わせに基づいて受信処理方法を決定してもよい。
【００３９】
例えば、現在の信号を再送信号ａ２とすると、受信処理方法決定部３３は、再送信号ａ２の通信品質に基づいて受信処理方法を決定してもよいし、再送信号ａ１（過去の信号）の通信品質と再送信号ａ２の通信品質とに基づいて受信処理方法を決定してもよいし、データ信号ａ（過去の信号）の通信品質と再送信号ａ２の通信品質とに基づいて受信処理方法を決定してもよいし、データ信号ａ（過去の信号）の通信品質と再送信号ａ１（過去の信号）の通信品質と再送信号ａ２の通信品質とに基づいて受信処理方法を決定してもよい。
【００４０】
（本実施形態に係る移動通信システムの動作）
本実施形態に係る移動通信システム１の動作を、図３を参照にして説明する。
【００４１】
図３に示すように、ステップ３０１において、移動局１０の受信処理部３１は、所定周期Ａで、基地局１０の信号送信部１１から送信されたデータ信号ａについて受信処理を行う。
【００４２】
ステップ３０２において、移動局１０の通信品質検出部３２が、受信したデータ信号ａの通信品質（Ｑ）を検出する。
【００４３】
ステップ３０３において、移動局１０の受信処理方法決定部３３が、通信品質検出部３２により検出されたデータ信号ａの通信品質（Ｑ）が、所望の通信品質を満足しているか否かを判定する。
【００４４】
ここで、受信処理方法決定部３３は、データ信号ａの通信品質（Ｑ）が所望の通信品質以上の場合に所望の通信品質を満足していると判定してもよいし、データ信号ａの通信品質（Ｑ）が所望の通信品質を超えている場合に所望の通信品質を満足していると判定してもよい。
【００４５】
データ信号ａの通信品質（Ｑ）が所望の通信品質を満足している場合、ステップ３０４において、受信処理方法決定部３３は、受信処理方法を適応的に変更する。
【００４６】
一方、データ信号ａの通信品質（Ｑ）が所望の通信品質を満足していない場合、本動作は、ステップ３０１に戻り、受信処理部３１は、再送信号ａ１について受信処理を行う。
【００４７】
その後、ステップ３０２において、通信品質検出部３２が、受信した再送信号ａ１の通信品質を検出し、ステップ３０３において、受信処理方法決定部３３が、再送信号ａ１の通信品質（Ｑ）が、所望の通信品質を満足しているか否かを判定する。
【００４８】
再送信号ａ１の通信品質（Ｑ）が所望の通信品質を満足している場合、ステップ３０４において、受信処理方法決定部３３は、受信処理方法を適応的に変更する。
【００４９】
一方、再送信号ａ１の通信品質（Ｑ）が所望の通信品質を満足していない場合、本動作は、ステップ３０１に戻り、受信処理部３１は、再送信号ａ２について受信処理を行う。以下、所定周期Ａにおいて、再送信号ａ２及びａ３について同様の処理を繰り返す。
【００５０】
（変更例１）
本発明は、上記実施形態に限定されるものではなく、以下の変更例１にも適用することができる。
【００５１】
図４に示すように、ステップ４０１において、移動局１０の受信処理部３１は、所定周期Ａで、基地局１０の信号送信部１１から送信されたデータ信号ａについて受信処理を行う。
【００５２】
ステップ４０２において、移動局１０の通信品質検出部３２が、受信したデータ信号ａの通信品質（Ｑ）として、データ信号の「信号誤り（信号誤り率や信号誤り量）」や「信号対干渉量比」や「受信電力」を検出する。
【００５３】
例えば、通信品質検出部３２は、データ信号内の誤り検出用ビット（例えば、ＣＲＣビット）からデータ信号が誤っているか否かを判定することによって「信号誤り」を検出する。
【００５４】
ステップ４０３において、データ信号ａの通信品質（Ｑ）が所望の通信品質を満足していると判定された場合、以降の再送信号ａ１を必要としないため、受信処理方法決定部３３は、受信処理部３１の受信機をＯＦＦにする。
【００５５】
（変更例２）
本発明は、上記実施形態に限定されるものではなく、以下の変更例２にも適用することができる。
【００５６】
図５に示すように、ステップ５０１において、移動局１０の受信処理部３１は、所定周期Ａで、基地局１０の信号送信部１１から送信されたデータ信号ａについて受信処理を行う。
【００５７】
ステップ５０２において、移動局１０の通信品質検出部３２が、受信したデータ信号ａの通信品質（Ｑ）として、データ信号の「信号誤り（信号誤り率や信号誤り量）」や「信号対干渉量比」や「受信電力」を検出する。
【００５８】
ステップ５０３において、データ信号ａの通信品質（Ｑ）が所望の通信品質を満足していると判定された場合、正しくデータ信号ａを復号するために再送信号ａ１を必要としないため、受信処理方法決定部３３は、受信処理部３１の復号機をＯＮにする。
【００５９】
（本実施形態に係る移動通信システムの作用・効果）
本実施形態に係る移動通信システムによれば、基地局１０の信号送信部１１が、所定周期Ａで、データ信号ａ及び再送信号ａ１乃至ａ３を送信し、移動局３０の受信処理方法決定部３３が、受信信号の通信品質検出結果に応じて、所定周期Ａ内のデータ信号ａ又は再送信号ａ１乃至ａ３の受信処理方法について決定するため、基地局１０から移動局３０に送信するデータ信号の再送回数を多くすることなく、移動局の電力消費を軽減することができる。
【００６０】
【発明の効果】
以上説明したように本発明によれば、移動局が受信するデータ信号の再送信号を多くすることなく、移動局の電力消費を軽減することを可能とする移動通信システム、移動通信方法、及びこれらに用いて好適な移動局を提供することができる。
【図面の簡単な説明】
【図１】本発明の一実施形態に係る移動通信システムの構成図である。
【図２】本発明の一実施形態に係る移動通信システムの基地局から送信されるデータ信号及び再送信号を示す図である。
【図３】本発明の一実施形態に係る移動通信システムの動作を示すフローチャートである。
【図４】本発明の一実施形態に係る移動通信システムの動作を示すフローチャートである。
【図５】本発明の一実施形態に係る移動通信システムの動作を示すフローチャートである。
【図６】従来技術に係るブロードキャストを行う移動通信システムの全体構成図である。
【図７】従来技術に係るマルチキャストを行う移動通信システムの全体構成図である。
【符号の説明】
１…移動通信システム
１０…基地局
１１…信号送信部
３０…移動局
３１…受信処理部
３２…通信品質検出部
３３…受信処理方法決定部
【図１】
2004129078.tif 000003
【図２】
2004129078.tif 000004
【図３】
2004129078.tif 000005
【図４】
2004129078.tif 000006
【図５】
2004129078.tif 000007
【図６】
2004129078.tif 000008
【図７】
2004129078.tif 000009